(57)【要約】【課題】医療文書の作成の負担を軽減させる。【解決手段】医療文書の項目から中心語を抽出する抽出手段と、新たな医療文書の項目を管理するための項目管理情報に基づいて、前記抽出された中心語に関連する項目を前記新たな医療文書の項目として決定する決定手段と、前記決定された項目に基づいて、前記新たな医療文書を生成する文書生成手段と、を有することによって課題を解決する。【選択図】図２
2015138459.tif 000002
【特許請求の範囲】
【請求項１】
医療文書の項目から中心語を抽出する抽出手段と、
新たな医療文書の項目を管理するための項目管理情報に基づいて、前記抽出された中心語に関連する項目を前記新たな医療文書の項目として決定する決定手段と、
前記決定された項目に基づいて、前記新たな医療文書を生成する文書生成手段と、
を有することを特徴とする情報処理装置。
【請求項２】
前記医療文書を解析して前記医療文書の項目を抽出する項目抽出手段を更に有し、
前記抽出手段は、前記抽出された項目に対して形態素解析及び構文解析を行うことにより、前記中心語を抽出することを特徴とする請求項１記載の情報処理装置。
【請求項３】
前記項目管理情報には前記医療文書の生成に係る項目に関連する関連用語が含まれ、
前記決定手段は、前記中心語と一致する項目名の項目が前記項目管理情報が示す項目に含まれていない場合であっても、前記中心語に一致する関連用語が前記項目管理情報に含まれている場合、前記関連用語に関連する項目を、前記新たな医療文書の項目として決定することを特徴とする請求項１又は２記載の情報処理装置。
【請求項４】
前記中心語とは、医療文書の項目の項目名に含まれる医療関係用語の名詞であることを特徴とする請求項１乃至３何れか１項記載の情報処理装置。
【請求項５】
医療文書の項目から医療関係用語を抽出する抽出手段と、
新たな医療文書の項目を管理するための項目管理情報に基づいて、前記抽出された医療関係用語に関連する項目を前記新たな医療文書の項目として決定する決定手段と、
前記決定された項目に基づいて、前記新たな医療文書を生成する文書生成手段と、
を有することを特徴とする情報処理装置。
【請求項６】
前記決定手段は、前記新たな医療文書の生成に係る医療情報に応じて、前記決定した項目を切り替えることを特徴とする請求項１乃至５何れか１項記載の情報処理装置。
【請求項７】
前記医療情報が示す診療過程は、通院、入院、退院の何れかであることを特徴とする請求項６記載の情報処理装置。
【請求項８】
前記決定手段は、
前記医療情報が示す診療過程が退院である場合、前記決定した項目に係る退院関連の項目と、入院関連の項目と、通院関連の項目とを前記新たな医療文書における項目として決定する第１の決定手段と、
前記診療過程が入院である場合、前記決定した項目に係る入院関連の項目と、通院関連の項目とを前記新たな医療文書における項目として決定する第２の決定手段と、
前記診療過程が通院である場合、前記決定した項目を前記新たな医療文書における項目として決定する第３の決定手段と、
を有することを特徴とする請求項６又は７記載の情報処理装置。
【請求項９】
前記医療文書の種類又は前記医療文書の解析結果に基づいて、前記診療過程が通院、入院、退院の何れであるかを判定する判定手段を更に有することを特徴とする請求項７又は８記載の情報処理装置。
【請求項１０】
前記項目管理情報には、前記新たな医療文書の生成に係る項目の属性情報が含まれ、
前記決定手段は、前記中心語に関連する項目と、前記中心語に関連する項目の属性に関連付けられた関連情報に基づく項目とを前記新たな医療文書における項目として決定することを特徴とする請求項１乃至９何れか１項記載の情報処理装置。
【請求項１１】
医療文書の選択画面を表示する表示手段を更に有し、
前記抽出手段は、前記表示手段により表示された前記選択画面を介して選択された医療文書の項目から中心語を抽出することを特徴とする請求項１乃至１０何れか１項記載の情報処理装置。
【請求項１２】
前記文書生成手段は、前記決定された項目に対する入力データを前記情報処理装置の記憶領域から取得し、前記取得した入力データを転記することにより前記新たな医療文書を生成することを特徴とする請求項１乃至１１何れか１項記載の情報処理装置。
【請求項１３】
前記文書生成手段は、前記決定された項目に対する入力データをネットワークを介して通信可能なサーバから取得し、前記取得した入力データを転記することにより前記新たな医療文書を生成することを特徴とする請求項１乃至１１何れか１項記載の情報処理装置。
【請求項１４】
医療文書の生成に係る項目を項目管理情報として管理する項目管理手段と、
選択された医療文書の項目を前記項目管理手段により管理されている前記項目管理情報が示す項目から同定して設定する項目同定手段と、
前記項目同定手段により設定された項目に対する入力データを取得し、前記取得した入力データを前記選択された医療文書に転記する文書生成手段と、
を有し、
前記項目同定手段は、前記選択された医療文書の項目に対する形態素解析及び構文解析により中心語を抽出し、前記項目管理情報が示す項目から前記中心語に関連する項目を同定して設定することを特徴とする情報処理装置。
【請求項１５】
情報処理装置が実行する情報処理方法であって、
医療文書の項目から中心語を抽出する抽出ステップと、
新たな医療文書の項目を管理するための項目管理情報に基づいて、前記抽出された中心語に関連する項目を前記新たな医療文書の項目として決定する決定ステップと、
前記決定された項目に基づいて、前記新たな医療文書を生成する文書生成ステップと、
を含むことを特徴とする情報処理方法。
【請求項１６】
情報処理装置が実行する情報処理方法であって、
医療文書の項目から医療関係用語を抽出する抽出ステップと、
新たな医療文書の項目を管理するための項目管理情報に基づいて、前記抽出された医療関係用語に関連する項目を前記新たな医療文書の項目として決定する決定ステップと、
前記決定された項目に基づいて、前記新たな医療文書を生成する文書生成ステップと、
を含むことを特徴とする情報処理方法。
【請求項１７】
情報処理装置が実行する情報処理方法であって、
医療文書の生成に係る項目を項目管理情報として管理する項目管理ステップと、
選択された医療文書の項目を前記項目管理ステップにより管理されている前記項目管理情報が示す項目から同定して設定する項目同定ステップと、
前記項目同定ステップにより設定された項目に対する入力データを取得し、前記取得した入力データを前記選択された医療文書に転記する文書生成ステップと、
を含み、
前記項目同定ステップでは、前記選択された医療文書の項目に対する形態素解析及び構文解析により中心語を抽出し、前記項目管理情報が示す項目から前記中心語に関連する項目を同定して設定することを特徴とする情報処理方法。
【請求項１８】
コンピュータを、請求項１乃至１４何れか１項記載の情報処理装置の各手段として機能させるためのプログラム。
【発明の詳細な説明】
【技術分野】
【０００１】
本発明は、情報処理装置、情報処理方法及びプログラムに関する。
【背景技術】
【０００２】
病院内での医師の仕事は患者を診察するだけではなく、事務的な業務も少なからず存在する。そのなかで、医療文書の作成業務は、医師にとって負担が大きいものとなっている。ここでいう医療文書とは、病院が患者に対して発行する診断書や証明書、意見書等の文書のことである。病院内で利用される医療文書は、診療関連の文書や事務手続き用の書類も含めて種類が非常に多く、また、例えば診断書一つとってみても、各病院の独自書式や生命保険会社等の所定様式等、文書提出先によって書式に様々なバリエーションがある。
【０００３】
医療文書の作成業務は頻繁に行われる。例えば、入院の際には、入院治療計画書、入院持病歴、紹介状返書、リハビリテーション総合実施計画書等、多くの文書の作成が必要である。また、退院の際には、退院サマリや、診療情報提供書等の文書の作成も必要である。手書きで医療文書を作成している多くの医療現場では、何度も同じ内容の記録を転記している。
【０００４】
そこで、医療文書の作成時間の短縮化を図るために、医療文書のテンプレートを事前にシステムに登録し、目的の文書のテンプレートに含まれる診療情報を項目毎にシステムから取り出して、文書に記入する文書作成ソフトが導入されつつある。また、特許文献１には、紹介状に転記する診療情報の項目をタブで管理しており、該当するタブを選択してデータを入力したり、データをシステムから選択的に指定したりすることにより紹介状を作成する技術が開示されている。
【先行技術文献】
【特許文献】
【０００５】
【特許文献１】特許第４７８１０１９号公報
【発明の概要】
【発明が解決しようとする課題】
【０００６】
ここで、特許文献１に記載されているように、項目毎にタブを選択する場合、医療文書のテンプレートを網羅的に登録する必要がある。しかしながら、上述した通り、病院内で利用される文書の書式の多さに加えて、其々の病院で独自の書式が利用されるため、医療文書のテンプレートを網羅的に取得することは困難である。また、特許文献１に記載されているように、項目毎にタブを選択する場合、医師は手動で操作する必要がある。このため、システムに慣れない医師の場合には、医療文書の作成の作業負担が大きい。本発明は、医療文書の作成の負担を軽減させることを目的とする。
【課題を解決するための手段】
【０００７】
そこで、本発明の情報処理装置は、医療文書の項目から中心語を抽出する抽出手段と、新たな医療文書の項目を管理するための項目管理情報に基づいて、前記抽出された中心語に関連する項目を前記新たな医療文書の項目として決定する決定手段と、前記決定された項目に基づいて、前記新たな医療文書を生成する文書生成手段と、を有することを特徴とする。
【発明の効果】
【０００８】
本発明によれば、医療文書の作成の負担を軽減させることができる。
【図面の簡単な説明】
【０００９】
【図１】医療文書作成支援システムのシステム構成等の一例を示す図である。
【図２】医療文書作成支援処理の一例を示すフローチャートである。
【図３】医療文書作成支援処理の概要の一例を示す模式図である。
【図４】基本項目同定処理の一例を示すフローチャート（その１）である。
【図５】言語処理による基本項目同定処理の一例を示すフローチャートである。
【図６】基本項目同定処理の一例を示す模式図（その１）である。
【図７】医療文書のデータ取得・転記処理の一例を示すフローチャートである。
【図８】基本項目同定処理の一例を示すフローチャート（その２）である。
【図９】医療情報に応じた基本項目同定処理の一例を示すフローチャートである。
【図１０】基本項目の設定処理の一例を示す模式図（その２）である。
【図１１】基本項目同定処理の一例を示すフローチャート（その３）である。
【図１２】項目管理ＤＢの構成の一例を示す図である。
【図１３】基本項目同定処理の一例を示すフローチャート（その４）である。
【図１４】基本項目の同定処理の一例を示す模式図（その３）である。
【発明を実施するための形態】
【００１０】
以下、本発明を実施するための形態について図面を用いて説明する。
＜実施形態１＞
本実施形態を含む以降の説明において、医療文書作成を医療文書生成と呼ぶ場合がある。また、医療文書作成に関わるデータを診療情報と呼ぶ。更に、電子カルテやＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）等、データの格納システムを総称して、医療情報システムと呼ぶ。
【００１１】
図１は、医療文書作成支援システムのシステム構成等の一例を示す図である。図１に示すように、医療文書作成支援システムは、医療文書生成クライアント１と、医療文書生成サーバ２とを含む。また、医療文書生成クライアント１及び医療文書生成サーバ２は、病院内の各種サーバ群（電子カルテサーバ３、ＰＡＣＳサーバ４、診断レポートサーバ５、画像管理サーバ６、オーダリングシステム７）に接続されている。以下、上記サーバ群のことを、院内情報システムと呼ぶ。
【００１２】
医療文書生成クライアント１と、医療文書生成サーバ２と、病院内の院内情報システムとは、有線又は無線のネットワーク９を介して互いに通信可能に接続されている。図１のシステムにおいて、医療文書生成クライアント１は複数台あってもよい。また、医療文書生成サーバ２の機能を医療文書生成クライアント１に内包させ、ピア・ツー・ピア（Ｐ２Ｐ）の構成としてもよい。更に、院内情報システムを医療文書生成クライアント１に内包させる構成としてもよい。即ち、医療文書生成クライアント１が、図１のシステムにおいて実現される機能を有する医療文書作成支援装置として構成されていてもよい。なお、医療文書作成支援装置は、情報処理装置の一例である。
【００１３】
医療文書生成クライアント１と、医療文書生成サーバ２とにおけるハードウェア構成は同様なので、ここでは医療文書生成クライアント１のハードウェア構成について説明する。ＵＩデバイス１０１は、マウスやデジタイザやキーボード等であり、医療文書生成クライアント１にユーザの指示を入力するために用いられる。ＣＰＵ１０２は、プログラム用記憶領域１０６に格納されているプログラムをＲＡＭ１０３に展開して実行することにより、医療文書生成クライアント１の機能（装置内の各種制御、計算、ＵＩの表示等）及び後述するフローチャートの処理（情報処理）を実現する。通信ＩＦ１０４は、ネットワーク９に繋がっており、医療文書生成サーバ２や病院内の院内情報システムとの間の通信インタフェースである。ＵＩ表示部１０５は、操作画面、装置の状態、処理内容等を表示するＬＥＤパネルや液晶パネル等である。
【００１４】
プログラム用記憶領域１０６及びデータ用記憶領域１０７は、ハードディスクやフラッシュメモリを用いて実現可能な記憶領域であるが、特定の記憶媒体に依存するものではない。プログラム用記憶領域１０６には医療文書作成に関するプログラムが記憶されており、ＣＰＵ１０２は、これらのプログラムを実行することによりネットワークインターフェースやＵＳＢインターフェース、各種コントローラを制御する。また、ＣＰＵ１０２は、ネットワークインターフェースを経由した通信コマンド、周辺コントローラを経由したマウス／キーボード／リモコンの操作、マイク入力を経由した音声コマンド等に応じてプログラムを実行し、ユーザ操作や自動操作を検出し動作する。
【００１５】
医療文書生成クライアント１は、データ用記憶領域１０７に医療文書生成に関わる項目同定情報１０を記憶する。また、医療文書生成サーバ２は、データ用記憶領域２０７に医療文書に関わる項目登録情報２０を記憶する。項目同定情報１０及び項目登録情報２０については、図２等を用いて後述する。また、上述したように医療文書生成クライアント１と、医療文書生成サーバ２とのハードウェア構成は同様である。即ち、医療文書生成サーバ２のＣＰＵ２０２は、プログラム用記憶領域２０６に格納されているプログラムをＲＡＭ２０３に展開して実行することにより、医療文書生成サーバ２の機能を実現する。
【００１６】
上記の構成により、医療文書生成クライアント１及び医療文書生成サーバ２を含む医療文書作成支援システムは、ネットワーク接続される電子カルテシステムや医療画像管理システム等と連携して医療文書を作成することが可能となる。なお、図１のネットワーク９は、病院又は組織内で運用されるイントラネットである場合もあり、インターネットである場合もある。また、ネットワーク９は、無線であってもよいし、有線であってもよい。また、電子カルテシステム／医療画像管理システム／検査報告書（レポート）システム／画像管理システム／ファイルサーバ／オーダーシステムは既知であるため、ハードウェア構成や動作フローについての説明を省略する。
【００１７】
次に、本実施形態における医療文書作成支援システムによる医療文書作成支援処理（医療文書作成支援方法）の手順について説明する。図２は、本実施形態における医療文書作成支援システムによる医療文書作成支援処理の一例を示すフローチャートである。Ｓ１１０において、ＣＰＵ２０２は、医療文書に関わる診療情報の項目を示す項目登録情報２０をデータベース（ＤＢ）としてデータ用記憶領域２０７に記憶して管理する。医療文書の種類は非常に多いものであるが、医療文書に含まれる診療情報の項目には共通のものが多いので、医療文書の項目は限られている。項目名としては、例えば、主訴、傷病名、治療経過等がある。しかし、医療文書の書式と同様に、同じ項目であっても病院によって項目名の表現にばらつきがある。そのため、ＣＰＵ２０２は、項目名の表現のばらつき（ゆれ）の吸収を可能にするため、項目における基本となる表現である基本項目を、基本項目に関連するその他の表現である関連用語（関連表現）と関連付けて管理（蓄積）する。詳細については、図３等を用いて後述する。なお、上述したように、項目登録情報２０は医療文書生成クライアント１の記憶領域にデータベースとして記憶されていてもよい。
【００１８】
Ｓ１２０において、ＣＰＵ１０２は、作成対象となる医療文書情報（以下、単に医療文書と呼ぶ）を設定（選択）する。より具体的に説明すると、ＣＰＵ１０２は、ＵＩ表示部１０５に選択画面を表示し、ＵＩデバイス１０１を介したユーザの指示に従って作成対象となる医療文書を設定する。Ｓ１３０及びＳ１４０の処理は、Ｓ１２０で設定された医療文書に関わる項目の設定及び設定した項目におけるデータの記入に関する処理である。
【００１９】
Ｓ１３０において、ＣＰＵ１０２は、作成対象となる医療文書の項目を同定（決定）して設定する。より具体的に説明すると、ＣＰＵ１０２は、文書解析により、作成対象となる医療文書における項目領域、データ記入領域を同定する。更に、ＣＰＵ１０２は、言語処理により、作成対象となる医療文書における項目領域から項目用語を抽出し、抽出した項目用語に基づいて、Ｓ１１０で管理されているデータベースから項目を同定して設定する。なお、その際、ＣＰＵ１０２は、同定した項目を項目同定情報１０としてデータ用記憶領域１０７に記憶する。本処理の詳細については、図４等を用いて後述する。Ｓ１４０において、ＣＰＵ１０２は、院内情報システムからＳ１３０で同定した項目毎に診療情報（入力データ）を取得し、該当するデータ記入領域に転記する。本処理の詳細については、図７等を用いて後述する。以上の処理により、ＣＰＵ１０２は、作成対象の医療文書を自動で生成することができる。
【００２０】
次に、本実施形態における医療文書作成支援システムによる医療文書作成支援処理について、より具体的な例を用いて説明する。図３は、本実施形態における医療文書作成支援システムによる医療文書作成支援処理の概要の一例を示す模式図である。項目管理ＤＢ（項目管理情報）１１０は、Ｓ１１０で管理されるデータベースの一例である。この例では、項目管理ＤＢ１１０は、各種の医療文書に含まれる診療情報の項目情報（以下、単に項目と呼ぶ）又は院内情報システムに登録される診療情報の項目から構成されている。項目管理ＤＢ１１０には、項目の基本表現が基本項目として登録され、基本項目に関連するその他の表現が関連用語として登録される。
【００２１】
医療文書１２０は、Ｓ１２０で作成対象を紹介状と設定した場合の医療文書の一例である。紹介状は、医師が他の医師へ患者を紹介する場合に発行する書類であり、紹介患者の診断・経過等現在までの診療の総括、紹介の目的等を記述するものである。同定項目１３０は、Ｓ１３０における作成対象となる医療文書の項目同定処理の結果の一例である。ここに挙げた各項目領域の座標情報（以下、単に座標と呼ぶ）及びペアとなるデータ記入領域の座標は、医療文書の解析により取得されたものである。また、各項目名は、項目領域の言語処理に基づいて同定された基本項目である。ＣＰＵ１０２は、同定した基本項目において、院内情報システム１４０から患者の該当データ（入力データ）を取り出し、登録したデータの記入領域に自動的に転記すれば、例えば医療文書１２０のような紹介状を自動生成することができる。
【００２２】
次に、本実施形態における図２のＳ１３０に係る作成対象となる医療文書の項目同定処理について説明する。図４は、本実施形態における図２のＳ１３０に係る作成対象となる医療文書の項目同定処理の一例を示すフローチャートである。Ｓ１３０１において、ＣＰＵ１０２は、作成対象となる医療文書における項目領域と、項目領域の座標と、データの記入位置とが事前に分かるかどうか確認する。ＣＰＵ１０２は、これらの情報が既知である場合、処理をＳ１３０４に進める。一方、ＣＰＵ１０２は、上記情報が既知でない場合、処理をＳ１３０２に進める。
【００２３】
Ｓ１３０２において、ＣＰＵ１０２は、文書画像解析により項目領域を抽出する（項目抽出処理）。より具体的に説明すると、ＣＰＵ１０２は、文書画像から文字領域を抽出し、項目領域として設定する。Ｓ１３０３において、ＣＰＵ１０２は、Ｓ１３０２で抽出した項目領域の座標を取得して登録すると共に、各項目領域の周囲にある空の領域をデータ記入領域として登録する。Ｓ１３０４において、ＣＰＵ１０２は、言語処理により、作成対象となる医療文書における項目領域から項目用語を抽出し、基本項目を同定する。本処理の詳細については、図５等を用いて後述する。
【００２４】
次に、Ｓ１３０４における言語処理による基本項目同定処理（基本項目決定処理）について説明する。図５は、本実施形態におけるＳ１３０４に係る言語処理による基本項目同定処理の一例を示すフローチャートである。Ｓ１３０４１において、ＣＰＵ１０２は、Ｓ１３０２で抽出した項目領域を入力する。Ｓ１３０４２において、ＣＰＵ１０２は、形態素解析により用語を抽出する。より具体的に説明すると、ＣＰＵ１０２は、項目領域のテキスト情報を意味のある単語に区切り、品詞や内容を判別する。Ｓ１３０４３において、ＣＰＵ１０２は、構文解析により用語関係を解析する。より具体的に説明すると、ＣＰＵ１０２は、項目領域のテキスト情報における用語関係（文法的な関係）を解析する。
【００２５】
Ｓ１３０４４において、ＣＰＵ１０２は、形態素解析の結果から名詞、医療関係用語を抽出し、構文解析の結果から中心語となる部分を抽出する。即ち、中心語は、医療関係用語の一例である。Ｓ１３０４５において、ＣＰＵ１０２は、項目管理ＤＢ１１０を参照して基本項目を設定（決定）する。この際、ＣＰＵ１０２は、抽出した中心語と一致する用語が項目管理ＤＢ１１０の基本項目欄にあれば、その用語を基本項目として設定する。一方、ＣＰＵ１０２は、抽出した中心語と一致する用語が項目管理ＤＢ１１０の関連用語欄にあれば、その関連用語に関連する基本項目欄の用語を基本項目として設定する。これにより、ＣＰＵ１０２は、医療文書における項目名の表現が病院によって異なっている場合等であっても、関連用語に基づいて相応しい基本項目を同定することができる。
【００２６】
次に、Ｓ１３０４における言語処理による基本項目同定処理について、より具体的な例を用いて説明する。図６は、本実施形態におけるＳ１３０４に係る言語処理による基本項目同定処理の一例を示す模式図である。テキスト情報１３０１は、項目領域のテキスト情報の一例である。ここでは、ＣＰＵ１０２が「現在の処方」というテキスト情報を抽出した場合を例に説明する。形態素解析の結果１３０２は、「現在の処方」が形態素解析により「現在」、「の」、「処方」という単語単位で抽出された結果を示している。構文解析の結果１３０３は、構文解析により「現在」、「処方」が名詞で、「の」が助詞と判定され、「現在」が「処方」の修飾語であると判定されたことを示している。
【００２７】
中心語１３０４は、形態素解析及び構文解析の結果により抽出された中心語の結果の一例である。基本項目１３０５は、ＣＰＵ１０２が項目管理ＤＢを参照することにより同定して設定した基本項目の一例である。言語処理により抽出された「処方」という部分は、項目管理ＤＢにある基本項目「処方」と一致するので、ＣＰＵ１０２は、「処方」をそのまま基本項目として設定する。これにより、ＣＰＵ１０２は、形態素解析及び構文解析の結果により抽出した中心語に基づいて基本項目を同定して設定することができる。
【００２８】
次に、図２のＳ１４０における作成対象となる医療文書のデータ取得・転記処理について説明する。図７は、本実施形態における図２のＳ１４０に係る作成対象となる医療文書のデータ取得・転記処理の一例を示すフローチャートである。Ｓ１４０１において、ＣＰＵ１０２は、図４に示す処理で取得した基本項目、基本項目の座標、ペアとなるデータ記入領域の座標を入力する。Ｓ１４０２において、ＣＰＵ１０２は、院内情報システムから該当する基本項目の診療情報を取得し、データ記入領域に転記する。Ｓ１４０３において、ＣＰＵ１０２は、全ての基本項目におけるデータの取得、記入を済ませたかどうかを判定し、全て済ませたと判定すれば図７の処理を終了する。一方、ＣＰＵ１０２は、未処理のものがあると判定した場合、処理をＳ１４０２に戻す。
【００２９】
本実施形態では、医療文書作成のための項目管理ＤＢ１１０が、基本項目と、関連項目とから構成されているものとして説明したが、その他の構成であってもよい。また、本実施形態では、作成対象となる医療文書における診療情報を院内システムから転記するものとしたが、医師等が必要に応じてＵＩデバイス１０１を操作し、記述を追加するようにしてもよい。以上、本実施形態によれば、汎用性に優れ、かつ、医療従事者が医療文書作成のためのシステム操作を行う必要のない、自動的に診療情報に関わる項目の同定及び診療情報の転記による医療文書の生成が可能な技術を提供することができる。これにより、医療従事者による医療文書の作成の負担を軽減することができ、それに伴い診療の質の向上を図ることができる。
【００３０】
＜実施形態２＞
上述した実施形態１では、ＣＰＵ１０２が、作成対象となる医療文書から項目領域と、項目領域の座標と、セットとなるデータ記入領域の座標を取得した。そして、ＣＰＵ１０２が、項目領域のテキスト情報における言語処理を行い、項目管理ＤＢを参照して基本項目を同定し、該当するデータの自動取得及び自動転記により医療文書を自動的に生成した。本実施形態では、ＣＰＵ１０２が、医療文書の種別又は診療過程に応じて基本項目を設定する。
【００３１】
医療文書の種別や診療過程が異なれば、求められる診療情報も異なってくる。例えば、「退院サマリ」という医療文書にある診療情報の一つである「検査」の例では、退院中の「検査」のみならず、通院中の「検査」に関わる診療データも患者の情報として必要である。その一方で、「紹介状」という医療文書にある「検査」の例では、患者が入院治療を受けない限り、通院中の「検査」に関わる診療データだけで十分である。したがって、医療文書の種別や診療過程に応じて必要となる診療情報を適当に提示することが重要である。
【００３２】
本実施形態における医療文書作成支援システムのシステム構成及び各装置のハードウェア構成は、実施形態１で説明した図１と同様であるため説明を省略する。また、本実施形態における医療文書作成支援処理のフローチャートは、図２と同様であるため説明を省略する。
【００３３】
次に、本実施形態における図２のＳ１３０に係る作成対象となる医療文書の項目同定処理について説明する。図８は、本実施形態における図２のＳ１３０に係る作成対象となる医療文書の項目同定処理の一例を示すフローチャートである。Ｓ２３０１からＳ２３０４までの処理は、図４のＳ１３０１からＳ１３０４までの処理と同様であるため説明を省略する。Ｓ２３０４でＣＰＵ１０２は、言語処理により、Ｓ２３０２で抽出した項目領域のテキスト情報からベースとなる基本項目を同定すると処理をＳ２３０５に進める。Ｓ２３０５において、ＣＰＵ１０２は、Ｓ２３０４で同定したベースとなる基本項目を基に、医療情報に応じた基本項目を同定して設定する。本処理の詳細については、図９等を用いて後述する。
【００３４】
次に、Ｓ２３０５における医療情報に応じた基本項目同定処理について説明する。図９は、本実施形態におけるＳ２３０５に係る医療情報に応じた基本項目同定処理の一例を示すフローチャートである。Ｓ２３０５１において、ＣＰＵ１０２は、Ｓ２３０４の言語処理により同定したベースとなる基本項目の結果を入力する。Ｓ２３０５２において、ＣＰＵ１０２は、作成対象となる医療文書における診療過程を判定する。より具体的に説明すると、ＣＰＵ１０２は、医療文書の種類や患者の診療情報に基づいて診療過程（医療情報）が退院であるか否かを判定する。ここで説明する診療過程には、通院治療、入院治療、退院観察があるものとする。ＣＰＵ１０２は、診療過程が退院であると判定した場合、処理をＳ２３０５３に進め、退院でないと判定した場合、処理をＳ２３０５６に進める。同様に、Ｓ２３０５６において、ＣＰＵ１０２は、診療過程が入院であるか否かを判定し、入院であると判定した場合、処理をＳ２３０５４に進める。一方、ＣＰＵ１０２は、診療過程が入院でないと判定した場合、即ち、通院であると判定した場合、処理をＳ２３０５５に進める。
【００３５】
Ｓ２３０５３からＳ２３０５５までにおいて、ＣＰＵ１０２は、Ｓ２３０５２で判定した診療過程に応じて基本項目を同定する。診療過程が退院である場合、Ｓ２３０５３からＳ２３０５５までにおいて、ＣＰＵ１０２は、ベースとなる基本項目における退院関連、入院関連、通院関連の項目を全て基本項目として設定する（第１の決定処理）。Ｓ２３０５３において、ＣＰＵ１０２は、Ｓ２３０４で言語処理により同定したベースとなる基本項目における通院関連の項目を基本項目の一部とする。Ｓ２３０５４において、ＣＰＵ１０２は、前記ベースとなる基本項目における入院関連の項目を基本項目の一部とする。Ｓ２３０５５において、ＣＰＵ１０２は、前記ベースとなる基本項目をそのまま基本項目の一部とする。
【００３６】
診療過程が入院である場合、Ｓ２３０５４からＳ２３０５５までにおいて、ＣＰＵ１０２は、ベースとなる基本項目における入院関連、通院関連の項目を基本項目として設定する（第２の決定処理）。Ｓ２３０５４において、ＣＰＵ１０２は、Ｓ２３０４で言語処理により同定したベースとなる基本項目における入院関連の項目を基本項目の一部とする。Ｓ２３０５５において、ＣＰＵ１０２は、前記ベースとなる基本項目をそのまま基本項目の一部とする。診療過程が通院である場合、Ｓ２３０５５において、ＣＰＵ１０２は、ベースとなる基本項目における通院関連の項目のみを基本項目として設定する（第３の決定処理）。
【００３７】
次に、Ｓ２３０５おける医療情報に応じた基本項目の設定処理について、より具体的な例を用いて説明する。図１０は、本実施形態におけるＳ２３０５に係る医療情報に応じた基本項目の設定処理の一例を示す模式図である。テキスト情報２３０５０は、作成対象となる医療文書例である「退院サマリ」から抽出された項目領域のテキスト情報の一例である。基本項目２３０５１は、言語処理により項目領域のテキスト情報２３０５０から抽出されたベースとなる基本項目の結果の一例である。基本項目２３０５２は、基本項目２３０５１をベースに、医療情報に応じて設定された基本項目の結果の一例である。ここで、ＣＰＵ１０２は、作成対象である「退院サマリ」から診療過程は「退院」であると判定し、「処方」における「退院」、「入院」、「通院」の診療情報が全て必要であると判定する。その結果、ＣＰＵ１０２は、「通院」という治療段階における「処方」、「入院」という治療段階における「入院中治療」、「退院」という治療段階における「退院後処方」を基本項目として設定する。
【００３８】
本実施形態では、ＣＰＵ１０２が、作成対象となる医療文書から項目領域を抽出し、言語処理によりベースとなる基本項目を同定し、医療情報に応じて基本項目を切り替えて設定する。また、本実施形態では、ＣＰＵ１０２が、診療過程の判定を作成対象となる医療文書の種類に基づいて行うものとして説明したが、医療文書を解析した解析結果に基づいて行うようにしてもよい。また、本実施形態では、診療過程を通院、入院、退院の何れかに分類するものとしたが、その他の分類であってもよい。また、本実施形態では、診療過程を基本項目設定に用いる医療情報として用いたが、その他の医療情報を用いてもよい。以上、本実施形態によれば、実施形態１による効果に加え、作成対象となる医療文書に相応しい基本項目を漏れなく、正確に設定することができ、より相応しい内容の医療文書を生成することができる。
【００３９】
＜実施形態３＞
上述した実施形態２では、作成対象の医療文書の生成における基本項目の同定処理において、ＣＰＵ１０２が、基本項目と、その基本項目の関連用語とから構成される項目管理ＤＢを参照し、言語処理に基づいてベースとなる基本項目を同定した。そして、ＣＰＵ１０２が、医療情報に応じた基本項目の同定を行うものであった。本実施形態では、ＣＰＵ１０２が、基本項目と、その基本項目の属性情報（以下、単に属性と呼ぶ）と、その基本項目の関連用語とから構成される項目管理ＤＢを参照し、言語処理に基づいてベースとなる基本項目を同定する。そして、ＣＰＵ１０２が、基本項目の属性を参照して基本項目の同定を行う。
【００４０】
本実施形態における医療文書作成支援システムのシステム構成及び各装置のハードウェア構成は、実施形態１で説明した図１と同様であるため説明を省略する。また、本実施形態における医療文書作成支援処理のフローチャートは、図２と同様であるため説明を省略する。また、本実施形態における基本項目同定処理のフローチャートは、図９と同様であるため説明を省略する。
【００４１】
次に、本実施形態における図２のＳ１３０に係る作成対象となる医療文書の項目同定処理について説明する。図１１は、本実施形態における図２のＳ１３０に係る作成対象となる医療文書の項目同定処理の一例を示すフローチャートである。Ｓ３３０１からＳ３３０４までの処理は、図８のＳ２３０１からＳ２３０４までの処理と同様であるため説明を省略する。Ｓ３３０５において、ＣＰＵ１０２は、項目管理ＤＢにおける基本項目の属性に基づき基本項目を同定する。本処理の詳細については、図１２、１３、１４を用いて後述する。
【００４２】
次に、本実施形態における図２のＳ１１０に係る項目管理ＤＢの構成について説明する。図１２は、本実施形態におけるＳ１１０に係る項目管理ＤＢの構成の一例を示す図である。項目管理ＤＢ３００は、基本情報ＤＢ３１０と、関連情報ＤＢ３２０とから構成されている。基本情報ＤＢ３１０は、基本項目の情報を登録するデータベースであり、基本項目（項目名）と、その基本項目の属性と、その基本項目の関連用語とを含む。基本項目欄には、基本項目の中心用語が登録される。属性欄には、基本項目に関わる診療過程の属性を示す値が登録される。ここで、属性「０」は、患者基本情報であることを示す。属性「１」は、通院に関わることを示す。属性「２」は、通院と、入院とに関わることを示す。属性「３」は、通院と、入院と、退院とに関わることを示す。関連用語欄には、基本項目に関連するその他の表現が関連用語として登録される。関連情報ＤＢ３２０は、基本項目の関連情報を登録するデータベースであり、属性番号と、各属性番号が示す情報特性と、各関連情報の用語とを含む。
【００４３】
次に、Ｓ３３０５における属性に基づく基本項目同定処理について説明する。図１３は、本実施形態におけるＳ３３０５に係る属性に基づく基本項目同定処理の一例を示すフローチャートである。Ｓ３３０５１において、ＣＰＵ１０２は、Ｓ３３０４の言語処理により同定したベースとなる基本項目の結果を入力する。Ｓ３３０５２において、ＣＰＵ１０２は、項目管理ＤＢ３００の基本情報ＤＢ３１０を参照して、ベースとなる基本項目の属性を取得する。Ｓ３３０５３において、ＣＰＵ１０２は、項目管理ＤＢ３００の関連情報ＤＢ３２０を参照して、Ｓ３３０５２で取得した属性の関連情報を取得する。
【００４４】
Ｓ３３０５４からＳ３３０５７までの処理において、ＣＰＵ１０２は、基本項目を設定する。Ｓ３３０５４において、ＣＰＵ１０２は、Ｓ３３０５２で取得した基本項目の属性が０であるかどうかを判定する。ＣＰＵ１０２は、属性が０であると判定した場合、処理をＳ３３０５７に進め、上述した言語処理により抽出したベースとなる項目を基本項目として設定する。一方、ＣＰＵ１０２は、属性が０でないと判定した場合、Ｓ３３０５５からＳ３３０５７までにおいて、関連する基本項目を設定する。Ｓ３３０５５において、ＣＰＵ１０２は、属性に応じた数の関連情報を全て使用したかどうかを判定する。ＣＰＵ１０２は、まだ使っていない関連情報があると判定した場合、Ｓ３３０５６において、ベースとなる項目に関連情報を加えて基本項目として設定する。一方、ＣＰＵ１０２は、全ての関連情報を使用したと判定した場合、Ｓ３３０５７において、ベースとなる項目を基本項目として設定する。
【００４５】
次に、Ｓ３３０５における基本項目の属性に基づく基本項目の同定処理について、より具体的な例を用いて説明する。図１４は、本実施形態におけるＳ３３０４に係る基本項目の属性に基づく基本項目の同定処理の一例を示す模式図である。テキスト情報３３０５０は、作成対象となる医療文書から抽出された項目領域のテキスト情報の一例である。基本項目３３０５１は、言語処理により項目領域のテキスト情報３３０５０から抽出されたベースとなる基本項目の結果の一例である。基本項目３３０５５は、基本項目３３０５１をベースに、ＣＰＵ１０２が基本項目の属性に基づいて設定した基本項目の結果の一例である。
【００４６】
以下、ＣＰＵ１０２が基本項目３３０５５を同定するまでの過程について説明する。属性３３０５２は、ＣＰＵ１０２が項目管理ＤＢ３００における基本情報ＤＢ３１０を参照して取得した属性であり、ここでは「治療」という項目の属性、即ち、「２」を示している。関連情報３３０５３は、ＣＰＵ１０２が項目管理ＤＢ３００における関連情報ＤＢ３２０を参照して取得した関連情報であり、ここでは属性「２」の関連情報、即ち、「入院」を示している。基本項目３３０５４は、ベースとなる基本項目と、ベースとなる基本項目に属性３３０５２の関連情報「入院」を加えた基本項目とを基本項目に設定した結果の一例である。
【００４７】
本実施形態では、項目管理ＤＢ３００が基本情報ＤＢ３１０と、関連情報ＤＢ３２０とから構成されており、ＣＰＵ１０２が基本情報の属性に応じて基本項目を設定するものとした。しかし、項目管理ＤＢ３００の構成は他の構成であってもよいし、また、ＣＰＵ１０２が属性ではなく他の情報に応じて基本項目を設定するようにしてもよい。以上、本実施形態によれば、実施形態２による効果に加え、診療過程を判定せずに作成対象となる医療文書に相応しい基本項目を漏れなく、正確に設定し、必要となる診療情報を転記することで、より相応しい内容の医療文書を生成することができる。
【００４８】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００４９】
以上、上述した各実施形態によれば、医療文書の作成の負担を軽減させることができる。より具体的に説明すると、医療文書における診療情報の項目を自動的に同定し、各項目における診療情報を院内情報システムから自動的に取得することにより医療文書を自動生成することができる。これにより、医療文書のテンプレートの用意や作成、無駄なデータの記入作業等を軽減することができ、医師による医療文書作成作業の効率の向上及び診療の質の向上を図ることができる。
【００５０】
以上、本発明の好ましい形態について詳述したが、本実施形態は係る特定の実施形態に限定されるものではなく、特許請求の範囲に記載された本発明の要旨の範囲内において、種々の変形・変更が可能である。
【図１】
2015138459.tif 000003
【図２】
2015138459.tif 000004
【図３】
2015138459.tif 000005
【図４】
2015138459.tif 000006
【図５】
2015138459.tif 000007
【図６】
2015138459.tif 000008
【図７】
2015138459.tif 000009
【図８】
2015138459.tif 000010
【図９】
2015138459.tif 000011
【図１０】
2015138459.tif 000012
【図１１】
2015138459.tif 000013
【図１２】
2015138459.tif 000014
【図１３】
2015138459.tif 000015
【図１４】
2015138459.tif 000016